(57)【要約】【課題】カバーを閉める際に、カバーがメモリカードを押して誤操作させてしまうことが無い電子機器を提供する。【解決手段】記憶媒体２を挿入するための開口部９を有する筐体３と、記憶媒体を開口部内の定められた位置にロックするロック装置１０であって、記憶媒体を押し込むことにより記憶媒体を定められた位置にロックし、記憶媒体を再度押し込むことにより記憶媒体をイジェクトするロック装置と、開口部を閉塞する開閉自在なカバー７であって、可撓性を有するヒンジ部８と、開口部を閉塞する本体部１１と、筐体に形成された案内部２２と嵌合して、カバーが筐体の開口部に装着されるときにカバーが記憶媒体に接触しないようにカバーを案内する嵌合部２１とを備えるカバーと、を備える。【選択図】図８
2008269248.tif 000002
【特許請求の範囲】
【請求項１】
記憶媒体を挿入するための開口部を有する筐体と、
前記記憶媒体を前記開口部内の定められた位置にロックするロック手段であって、前記記憶媒体を押し込むことにより前記記憶媒体を前記定められた位置にロックし、前記記憶媒体を再度押し込むことにより前記記憶媒体をイジェクトするロック手段と、
前記開口部を閉塞する開閉自在なカバーであって、可撓性を有するヒンジ部と、前記開口部を閉塞する本体部と、前記筐体に形成された案内部と嵌合して、前記カバーが前記筐体の開口部に装着されるときに前記カバーが前記記憶媒体に接触しないように前記カバーを案内する嵌合部とを備えるカバーと、
を備えることを特徴とする電子機器。
【請求項２】
前記ヒンジ部は少なくとも２つの屈曲部を持ち、前記カバーの、前記開口部から退避する回動運動と、前記案内部に案内されながら前記開口部に装着される平行運動とを可能とすることを特徴とする請求項１に記載の電子機器。
【請求項３】
前記カバーの本体部は、前記筐体の内側に向かう方向に突出した突出部を有し、該突出部には、シール部材が装着された環状のアンダーカット溝が形成され、前記カバーで前記開口部を閉塞した際には、前記開口部の内面と前記アンダーカット溝の内面とでシール部材が加圧され、前記開口部がシールされることを特徴とする請求項１又は２に記載の電子機器。
【請求項４】
前記案内部は、前記開口部の内面から突出した凸部を備え、前記嵌合部は、前記カバーの本体部の側面に形成された凹部を備えることを特徴とする請求項１乃至３のいずれか１項に記載の電子機器。
【請求項５】
前記案内部は、前記開口部の内面に形成された凹部を備え、前記嵌合部は、前記カバーの本体部の側面から突出した凸部を備えることを特徴とする請求項１乃至３のいずれか１項に記載の電子機器。
【発明の詳細な説明】
【技術分野】
【０００１】
本発明は、メモリカードなどの記憶媒体を挿入する開口部とその開口部を開閉可能とする開閉カバーを備えた、ハンディターミナルや、ＰＤＡ、携帯電話機、デジタルカメラ等の電子機器に関するものである。
【背景技術】
【０００２】
近年、ハンディターミナル等の電子機器においては、収集したデータの情報量が増大するに伴い、メモリカードなどの脱着可能な記憶媒体を利用できる機種が多くなっている。この種の電子機器は、記憶媒体を脱着可能に装着するために媒体コネクタを備えると共に、筐体に設けられた記憶媒体脱着用の開口部にカバー部品が開閉可能に取り付けられている。
【０００３】
また、雨天下等の屋外や水中で使用するために防水・防塵機能を備えた電子機器が開発されてきており、そのため上記のカバー部品に防水・防塵対策のシール構造を備えることが求められている。高いシール性能を有するものとして、例えば特許文献１に示されているように、カバーにアンダーカット溝を環状に形成した突出部を設けてそこにリング状パッキンであるＯリングを装着して、カバーを閉塞した際に筐体開口部側のシール面とカバーのアンダーカット溝の内面とでパッキンを加圧させ密着状態にするもの等がある。
【０００４】
また、開閉可能なカバーにした場合、ユーザーの使用を想定し、カバーが筐体に当たるまで（１８０度程度の開き角度）開いてもカバーが壊れないようにすることが求められており、全体を薄肉に形成された帯状のものにして、円滑な開閉動作をさせるように構成されていた。しかしながら、薄肉に形成された帯状のヒンジでは強度と寸法精度に問題があり、これに対して例えば特許文献２には、ヒンジ部が可撓性を有した材料でかつ板状で形成され、屈曲部を２箇所有し、その中間部の所定長さ範囲が薄肉状に形成されているものが開示されている。
【０００５】
また、メモリカードの脱着を行うイジェクト装置としては、メモリカードを挿入後、再度押すとバネ力により排出される構造であるプッシュプッシュ方式のメモリカード用コネクタを利用したものが急速に普及してきている（特許文献３参照）。この方式のコネクタは、イジェクトボタンが不要になるため、部品点数の低減を図ることができるとともに、イジェクトボタン組み込みのためのスペースが不要となることから、省スペース化に適している。
【特許文献１】特開２００４−１５７２４０号公報
【特許文献２】特開平６−３３６２５７号公報
【特許文献３】特開２００３−２１７７３８号公報
【発明の開示】
【発明が解決しようとする課題】
【０００６】
しかしながら、特許文献１に記載された構成のようにカバーに、筐体内側方向に向かって例えばパッキン装着用の環状アンダーカット溝等を有する突出部がある場合で、さらに、開角度を大きくするためにヒンジを軟性材料で薄長い物等のように可撓性を有する材料にした場合において、カバーを閉めるときに引っ張りながら閉じると、ヒンジが伸び上記の突出部がメモリカードに干渉して押圧してしまうという問題がある。
【０００７】
特に特許文献３のようなプッシュプッシュ方式のカードコネクタでは、上記の突出部がメモリカードに干渉すると、ロックが解除されてしまい、ユーザーの意図に反してメモリカードが排出されてしまうことがある。
【０００８】
さらにはメモリカード排出に気づかずそのままカバーを閉めてしまいユーザーが気づかずに使用してしまう問題がある。
【０００９】
さらには、カバーを閉める力が強いと、カードコネクタもしくはメモリカードを破壊させてしまう可能性がある。これは、特許文献２のようなヒンジ構造を備える場合であっても、カバーを引っ張りながら閉める、もしくはカバーのヒンジ近傍の根元を押さえながら閉めると、屈曲部が曲がりながら閉められ、メモリカードが押されてしまうことになる。
【００１０】
このようなカバーがメモリカードに干渉して押圧してしまうための対策として、メモリカードを筐体のさらに奥に装着させるようにした場合では、メモリカードを取り出すためのプッシュ操作が大変しづらくなり、工具や爪で押すことになるとカードを痛める可能性もある。また、カバーの突出部とメモリカードとの隙間を大きくした場合では、筐体開口部が大きくなるのでカバー形状も大きくなり機器のスペース効率が悪くなる。
【００１１】
従って、本発明は上述した課題に鑑みてなされたものであり、その目的は、カードカバーを閉める際に、カバーがメモリカードを押して誤操作させてしまうことが無い電子機器を簡単な構成で提供することである。
【課題を解決するための手段】
【００１２】
上述した課題を解決し、目的を達成するために、本発明に係わる電子機器は、記憶媒体を挿入するための開口部を有する筐体と、前記記憶媒体を前記開口部内の定められた位置にロックするロック手段であって、前記記憶媒体を押し込むことにより前記記憶媒体を前記定められた位置にロックし、前記記憶媒体を再度押し込むことにより前記記憶媒体をイジェクトするロック手段と、前記開口部を閉塞する開閉自在なカバーであって、可撓性を有するヒンジ部と、前記開口部を閉塞する本体部と、前記筐体に形成された案内部と嵌合して、前記カバーが前記筐体の開口部に装着されるときに前記カバーが前記記憶媒体に接触しないように前記カバーを案内する嵌合部とを備えるカバーと、を備えることを特徴とする。
【００１３】
また、この発明に係わる電子機器において、前記ヒンジ部は少なくとも２つの屈曲部を持ち、前記カバーの、前記開口部から退避する回動運動と、前記案内部に案内されながら前記開口部に装着される平行運動とを可能とすることを特徴とする。
【００１４】
また、この発明に係わる電子機器において、前記カバーの本体部は、前記筐体の内側に向かう方向に突出した突出部を有し、該突出部には、シール部材が装着された環状のアンダーカット溝が形成され、前記カバーで前記開口部を閉塞した際には、前記開口部の内面と前記アンダーカット溝の内面とでシール部材が加圧され、前記開口部がシールされることを特徴とする。
【００１５】
また、この発明に係わる電子機器において、前記案内部は、前記開口部の内面から突出した凸部を備え、前記嵌合部は、前記カバーの本体部の側面に形成された凹部を備えることを特徴とする。
【００１６】
また、この発明に係わる電子機器において、前記案内部は、前記開口部の内面に形成された凹部を備え、前記嵌合部は、前記カバーの本体部の側面から突出した凸部を備えることを特徴とする。
【発明の効果】
【００１７】
本発明によれば、カードカバーを閉める際に、カバーがメモリカードを押して誤操作させてしまうことが無い電子機器を簡単な構成で提供することが可能となる。
【発明を実施するための最良の形態】
【００１８】
以下、本発明の好適な一実施形態について、図面を参照しながら詳細に説明する。図中、同じ符号は各図を通して共通の構成部材を示す。また、本実施形態では、電子機器の一例としてハンディターミナルを例示する。
【００１９】
図１は、本発明の一実施形態に係わるハンディターミナル１の斜視図である。また、図２は、記憶媒体であるメモリカードのカバーの構造を垂直方向に切断した断面図である。
【００２０】
図１において、ハンディターミナル１は、この端末に入力された情報を記憶媒体であるメモリカード２に記録可能な電子機器である。このハンディターミナル１は、筐体３を有し、筐体３の前面に、液晶表示装置４と入力キー５を備え、筐体３の側面に、機器に電源を供給するための不図示のチャージャーコネクタを覆うチャージャーカバー６を備える。また、同じ側面に、例えば、記憶媒体であるminiＳＤカード（登録商標）等のメモリカード２を着脱自在に収納する開口部と、この開口部を覆うメモリカードカバー７とを備えている。また、このメモリカードカバー７は、部品点数削減の面からチャージャーカバー６と後述するヒンジ部８を介して一体に形成されている。さらにメモリカードカバー７は、図２に示すように、カード収納用の開口部９を開閉自在に閉鎖する保護カバーとして機能し、メモリカード２は、開口部９の中にあるプッシュプッシュ方式のカードコネクタ１０に装着され、それを介して電気的にハンディターミナル１と結合される。また、ハンディターミナル１は、バッテリを収納する不図示のバッテリ収納室を備える。なお、プッシュプッシュ方式とは、メモリカード２を押し込むことによりメモリカード２を開口部内の定められた位置にロックし、メモリカード２を再度押し込むことによりメモリカード２をイジェクトする方式である。
【００２１】
次に、メモリカードカバーの構造を図２乃至図４を参照して説明する。図３及び図４は、メモリカードカバーの構造を示す説明図で、特にカバーを開けた時の状態を示した図である。そして、図３はハンディターミナル１の一方の側面側、図４は他方の側面側から見た図である。
【００２２】
図２乃至図４に示すように、メモリカードカバー７は、カバー本体１１（本体部）と、カバー本体１１に適宜な可撓性を有する薄肉状のヒンジ部８を介して接続される筐体３への固定部１２とを有し、ポリプロピレン、エラストマ等の樹脂により一体的に成形されている。この固定部１２には固定用穴１３が設けられており、金属ピン１４を挿入してそれを筐体３に対して圧入させることでメモリカードカバー７を筐体３に取り付けている。なお、このカバー７の筐体３への取り付け方法は、上記の構成に限定されるものではない。また、ヒンジ部８は、屈曲部を２箇所備え（１５ａ、１５ｂ）、カバー開閉時の支点とさせている。
【００２３】
カバー本体１１には、アンダーカット溝１６を環状に形成した、筐体内側方向に突出する突出部１７が設けられており、そこにシール部材としてシリコンゴムで製造されるリング状パッキン１８が装着されている。また、突出部１７には筐体３に係合するための係止部１９が備えられ、カバー本体１１が浮くことを防いでいる。
【００２４】
さらにこのカバー本体１１には、ヒンジ部８の近傍位置２０にカバー側嵌合部として凹部２１が設けられており、後述する筐体側嵌合部としての凸部２２がキーとなり、適宜なクリアランスを持って嵌合する構造となっている。また、開口部９は、筐体３の内部に設けられた周壁面２３によって画定され、この周壁面２３は、メモリカードカバー７が開口部９を閉鎖した状態のときに、防水・防滴・防塵を目的としたシール領域となっている。
【００２５】
また、筐体開口部９には筐体３の外側面に向かって形成された凸部２２（案内部）が２箇所、リブ状に設けられている。これらにより、メモリカードカバー７で筐体３の開口部９を閉塞した際には、図２のように筐体開口部側のシール面である周壁面２３とメモリカードカバー７のアンダーカット溝１６の内面とでリング状パッキン１８が狭持圧接され、シール構造となる。特にこのようなシール構造では、シール部材が押圧される方向が、メモリカードカバー７が筐体開口部９を閉塞する方向と直交する方向（ラジアル方向）となるので、メモリカードカバー７がリング状パッキン１８から反力を受けて浮き、シール性を損なうといったことを防ぐことができる。なお、このカバー７のシール構造は上記の構造に限定されるものではない。
【００２６】
ここで、図２乃至図９を参照してメモリカードカバー７の筐体の開口部９への開閉動作について説明する。
【００２７】
図５は、メモリカードカバー７を大きく開かせた状態を示し、特に筐体３に接触するまで開いた状態を示す断面図である。メモリカードカバー７を開ける際に最初は主に屈曲部１５ｂが支点となり、さらに開いてヒンジ部８が固定部１２に近づくと次に１５ａが支点となる。このようにヒンジ部８が２箇所の屈曲部を持ち、かつ可撓性を有した材料で薄肉部を形成していることから、１８０度程度の大きな開き角度を実現することができる。なお、ヒンジ部８は、別の言い方をすれば、メモリカードカバー７の、筐体開口部９から退避する回動運動と、凸部２２（案内部）に案内されながら開口部９に装着される平行運動とを可能としている。
【００２８】
図６は、本実施形態とは異なり、筐体側の凸部２２とカバー側の凹部２１を持たない場合を示したカバー構造の断面図である。この場合、ユーザーがカバーを閉めるときにカバー本体１１を引っ張りながら閉める、もしくはカバー本体１１のヒンジ部８の近傍位置２０を押さえて閉めると、薄肉状のヒンジ部８が伸び、かつ屈曲部１５ａが方向２４に曲がりながら閉められるので、メモリカード２とカバー突出部１７が干渉してメモリカード２が筐体内部方向へ押圧されてしまう。この場合、メモリカード２を押すストロークが所定の範囲を超えるとプッシュプッシュ方式のカードコネクタ１０のロックが解除されてしまい、メモリカード２が意図せず排出されることになる。さらにユーザーが、メモリカード２の排出に気づかずそのままカバー７を閉めてしまうと、ハンディターミナル１がメモリカード２を認識していない状態で使用されてしまうことになる。また、カバー７を閉める力が強いと、カードコネクタ１０もしくはメモリカード２を破壊させてしまう可能性がある。
【００２９】
図７は、筐体側の凸部２２とカバー側の凹部２１を有する本実施形態の場合を示し、カバー本体１１を引っ張りながら閉める、もしくはヒンジ部８の近傍位置２０を押さえて閉めようとした状態を表す説明図である。また、図８はその状態のカバー構造を筐体側凸部２２の箇所で垂直方向に切断したＸ−Ｘ断面図である。
【００３０】
ユーザーがこのような閉め方をする場合、薄肉状のヒンジ部８が伸び、さらに屈曲部１５ａで方向２４へ曲がった状態で閉塞されることになる。この際に、図７及び図８で示すようにキーである凸部２２とカバー側の凹部２１が嵌合されないので、そのままではメモリカードカバー７は開口部９を閉塞することができないことになる。
【００３１】
図９は、本実施形態において、メモリカードカバー７が正常に閉められる状態を表す図であり、図８と同様に筐体側の凸部２２の箇所で垂直方向に切断したカバー構造の断面図である。
【００３２】
図９に示すようにメモリカードカバー７の閉塞時にまず筐体側の凸部２２とカバー側の凹部２１を嵌合させるために、ユーザーの閉塞動作が自ずとヒンジ部８を伸ばさないように案内されるので、メモリカード２とカバー突出部１７が干渉し、メモリカード２が押圧されるといったことを防ぐことができる。また、カバー本体１１と筐体開口部９とのズレが少ない状態で閉塞されるので、リング状パッキン１８を均一・的確に加圧させることができる。そのため、これらがズレた状態で閉塞させた場合にはパッキン１８の一部に負荷が集中するために生じる可能性がある、パッキン１８の捩れや傷等を防ぐことができ、メモリカードカバー７の開閉を繰り返しても防水・防塵等のシール効果を維持することができる。
【００３３】
また他の実施形態として、上記の実施形態では、筐体側に凸部をカバー側に凹部を備えて嵌合させているが、これらが逆に、図１０のように筐体側に凹部２７を、カバー側に凸部２６を備える関係であっても構わない。このときの実施形態は、凹凸の関係が異なるだけで上記の実施形態と同様であるので、説明は省略する。この場合は、カバーを閉める際カバー側の嵌合部である凸部が外から視認しやすく、カバーと筐体の嵌合部を嵌合させやすいという効果がある。
【００３４】
また、いずれの実施形態においても凸部はリブ状の形状、凹部は溝状の形状としたが、凸部を軸状の突起、凹部を穴状としても勿論同様の効果が得られる。
【００３５】
以上、本発明の一実施形態を図面に沿って説明したが、本発明は上記の実施形態において示された事項に限定されず、特許請求の範囲及び発明の詳細な説明の記載、並びに周知の技術に基づいて、その変更・応用を行うことができる。
【００３６】
以上説明したように、上記の実施形態の電子機器によれば、下記のような優れた効果が得られる。
【００３７】
記憶媒体を挿入する開口部を閉塞するカバーに、防水用パッキン等のシール部材を装着したような筐体内側方向の突出部があっても、カバーを閉めるときにヒンジ部の変形によって筐体内部の記憶媒体へ干渉・押圧を防ぐことができる。これにより、プッシュプッシュ式コネクタに装着されているメモリカードなどを意図せず排出させたり、さらにはメモリカードもしくはカードコネクタの破損等の誤操作を防ぐことができる。また、こうしたカバーと記憶媒体との干渉を防ぐために、開口部を大きくし製品外形を大型化させたり、記憶媒体の脱着操作性を失わせたりすることがなく、簡単な構成で達成できる。
【００３８】
また、カバーの１８０度程度のより大きな開き角度を可能にし、筐体にぶつかるまで開けることができるので、操作性が向上し、カバーの破損を防止できる。
【００３９】
さらに、カバーの突出部として環状のアンダーカット溝を形成したものにすることにより、そこにリング状パッキン等のシール部材を装着させることで開口部に防水・防塵等のシール性能を発揮させることができる。そして、閉塞時に先にカバー側嵌合部に筐体側嵌合部を嵌合させるので、カバーと開口部が一定の位置関係の状態で当接でき、カバーと開口部との間のズレが抑えられた状態で閉塞することができる。これによりシール部材の一部に応力が集中することが無く均一に加圧されるので、シール部材の捩れや傷等を防ぐことができカバー開閉を繰り返してもシール効果を維持することができる。
【図面の簡単な説明】
【００４０】
【図１】本発明の一実施形態に係わる電子機器の外観を示す斜視図である。
【図２】メモリカードカバー構造を垂直方向に切断した断面図である。
【図３】メモリカードカバーの構造を示す説明図である。
【図４】メモリカードカバーの構造を示す説明図である。
【図５】メモリカードカバーを筐体に接触するまで開いた状態を示す断面図である。
【図６】一実施形態とは異なり、筐体側の突起部とカバー側の溝部を持たない場合の閉塞動作を示す断面図である。
【図７】筐体側の突起部とカバー側の溝部を有する場合で、閉塞時にヒンジ部を伸ばして閉めようとした状態を示す説明図である。
【図８】筐体側の突起部とカバー側の溝部を有する場合で、閉塞時にヒンジ部を伸ばして閉めようとした状態を示す断面図である。
【図９】筐体側の突起部とカバー側の溝部が嵌合され開口部が正常に閉められる状態を表す断面図である。
【図１０】本発明の他の実施形態を示す図である。
【符号の説明】
【００４１】
１  ハンディターミナル
２  メモリカード
３  筐体
４  液晶表示装置
５  入力キー
６  チャージャーカバー
７  メモリカードカバー
８  ヒンジ部
９  開口部
１０  カードコネクタ
１１  カバー本体
１２  固定部
１３  固定用穴
１４  金属ピン
１５ａ，１５ｂ  屈曲部
１６  アンダーカット溝
１７  カバー突出部
１８  リング状パッキン
１９  係止部
２０  ヒンジ部の近傍一
２１  カバー側の凹部
２２  筐体側の凸部
２３  周壁面
２４  屈曲部の変形方向
２５  カバー側の凸部
２６  筐体側の凹部
【図１】
2008269248.tif 000003
【図２】
2008269248.tif 000004
【図３】
2008269248.tif 000005
【図４】
2008269248.tif 000006
【図５】
2008269248.tif 000007
【図６】
2008269248.tif 000008
【図７】
2008269248.tif 000009
【図８】
2008269248.tif 000010
【図９】
2008269248.tif 000011
【図１０】
2008269248.tif 000012